(57)【要約】【課題】固着具との間に生じる隙間をパッキンで埋めて止水機能を向上させることができ、且つ、圧縮に対する強度に優れている座金を提供する。【解決手段】座金本体がドーム形状の壁面５によって形成され、この壁面５の頂部に貫通孔７が設けられ、前記壁面５の外面で複数箇所の位置に、壁面５の周方向に沿って長い平面視渦巻き形状で壁面５の内面に突出する凹部８を設けた。【選択図】図１
2014101977.tif 000002
【特許請求の範囲】
【請求項１】
座金本体がドーム形状の壁面によって形成され、この壁面の頂部に貫通孔が設けられ、前記壁面の外面で複数箇所の位置に、壁面の内面に突出する凹部を設けた座金。
【請求項２】
上記凹部は、壁面の周方向に沿って長い長さを有し、且つ、この凹部の始点と終点で構成される長さ方向の角度が壁面の軸心を中心として１８０°以内で形成された平面視渦巻き形状になっている請求項１に記載の座金。
【請求項３】
請求項２に記載の座金において、凹部の幅が、壁面の頂部側に位置する始点から壁面の外周側に位置する終点に向かうにつれて広くなっている座金。
【請求項４】
請求項３に記載の座金において、凹部の幅方向に沿った断面形状が、略直角三角形の部分を備えている座金。
【発明の詳細な説明】
【技術分野】
【０００１】
この発明は、ねじ等の固着具を用いた各種部材の締結時に、固着具の頭部による定着部分の水漏れ発生を防ぐためにパッキンと組み合わせて使用する座金に関する。
【背景技術】
【０００２】
一般的に、金属屋根を構築するための各種部材をねじ等の固着具で締結するに際して、固着具の頭部による定着部分から雨水などの水分が浸入するのをするのを防ぐ必要がある場合、固着具の軸部に座金とパッキンを取付、固着具のねじ込みにより頭部で座金を介してパッキンを圧縮し、このパッキンで前記定着部分を止水するようにしている。
【０００３】
従来、固着具と組み合わせて使用する座金は、平面視略円形で上方に凸形となる湾曲状に形成され、頂部に固着具の軸部を挿通する貫通孔を設けた構造を有し、パッキンを包み込むようにして圧縮するようになっている（例えば、特許文献１と２参照）。
【０００４】
また、固着具頭部による定着部分を止水する機構として、固着具の頭部座面の外周に特許文献１と２で示した座金と同じような円形スカートを一体に設け、パッキンを包み込むようにして圧縮するものがある（例えば、特許文献３参照）。
【先行技術文献】
【特許文献】
【０００５】
【特許文献１】特開２０００−２１３５２０号公報
【特許文献２】特開２００１−１２４２７号公報
【特許文献３】特開昭６０−１３６６１２号公報
【発明の概要】
【発明が解決しようとする課題】
【０００６】
ところで、上記特許文献１乃至３で示した各止水構造は、座金又はスカートでパッキンを押し下げて単に上から圧縮するだけになっているため、座金又はスカートの内部にパッキンを閉じ込めようとしても、圧縮を受けて上下及び径方向に変形したパッキンは、座金又はスカートの外周から外部への逃げが自由であることで、パッキンの中心を貫通する固着具の軸部に対するパッキンの圧密強度が低下し、前記軸部とパッキンの間の止水機能が低いという問題がある。
【０００７】
また、上記特許文献１又は２の各止水構造は、固着具頭部による定着部分において、固着具が正確に垂直に固定されなかった場合、座金の頂部と固着具の頭部座面との間に隙間が発生し、また、固着具の軸部と座金に設けた貫通孔の間にも隙間が発生することになるが、圧縮を受けたパッキンは座金又はスカートの外周から外部へ逃げることで、前記した各隙間にパッキンを侵入させて埋めることができず、このため、前記各隙間部分に対する止水機能が低く、例えば、雨水のような水分の浸入を十分に防ぐのが困難であるという問題がある。
【０００８】
更に、上記特許文献１又は２の各止水構造における座金は、金属板をプレス加工することによって形成されているため、上方に凸形となる湾曲状は頂部からの圧縮強度に比較的弱く、固着具を必要以上に締め付けると座金が座屈して変形し、座金の意匠性が低下するという問題が生じる。
【０００９】
そこで、この発明の課題は、パッキンと組み合わせた状態で固着具に取り付けて使用する座金であって、固着具の頭部による定着部分に生じる隙間をパッキンで確実に埋めて止水機能を向上させることができ、且つ、上下方向の圧縮に対する強度に優れている座金を提供することにある。
【課題を解決するための手段】
【００１０】
上記のような課題を解決するため、請求項１の発明は、座金本体がドーム形状の壁面によって形成され、この壁面の頂部に貫通孔が設けられ、前記壁面の外面で複数箇所の位置に、壁面の内面に突出する凹部を設けた構成を採用したものである。
【００１１】
請求項２の発明は、上記凹部は、壁面の周方向に沿って長い長さを有し、且つ、この凹部の始点と終点で構成される長さ方向の角度が壁面の軸心を中心として１８０°以内で形成された渦巻き形状になっているようにしたものである。
【００１２】
請求項３の発明は、請求項２に記載の座金において、凹部の幅が、壁面の頂部側に位置する始点から壁面の外周側に位置する終点に向かうにつれて広くなっているようにしたものである。
【００１３】
請求項４の発明は、請求項３に記載の座金において、凹部の幅方向に沿った断面形状が、略直角三角形の部分を備えているようにしたものである。
【００１４】
ここで、上記座金は、座金本体となるドーム形状の壁面と、この壁面の外周に周設した環状のフランジ部からなり、金属板を用いてプレス成形により形成され、壁面に設けた凹部もプレス成形されている。
【発明の効果】
【００１５】
請求項１の発明によると、座金本体となるドーム形状の壁面の外面で複数箇所の位置に、壁面の内面に突出する凹部を設けたので、固着具のねじ込みによって壁面でパッキンを圧縮したとき、各凹部の内側に突出する部分が壁面の内部に閉じ込めたパッキンに食い込み、このパッキンの上下及び径方向への押し広げ量が増大し、これによって、固着具の軸部に対するパッキンの圧密強度を向上させ、同時にパッキンの押し広げられた部分で、座金と固着具の間に生じている隙間を埋めることで、固着具の定着部分における止水性を向上させることになる。
【００１６】
また、座金と固着具の間に生じている隙間からパッキンが膨出することで、パッキンの完全充填を目視で確認することが可能になり、固着具による締結に対して品質の高い施工が実現できる。
【００１７】
請求項２の発明によると、壁面の周方向に沿って長い凹部を渦巻き形状にすることで、パッキンの押し広げた部分を壁面の頂部に向けて誘導することになり、これにより、固着具の軸部と座金貫通孔との隙間及び、座金と固着具頭部の間に生じた隙間にパッキンを侵入させ、前記隙間を埋めることで止水性を向上させることができる。
【００１８】
請求項３の発明によると、凹部の幅を壁面の頂部側に位置する始点から壁面の外周側に位置する終点に向かうにつれて広くしたので、終点の幅の広い部分でパッキンに対して多く圧縮した分を壁面の頂部側へ有効に逃がすことができ、上記した隙間に対する止水性を一段と向上させることができる。
【００１９】
請求項４の発明によると、凹部の幅方向に沿った断面形状が、略直角三角形の部分を備えているようにしたので、直角三角形の部分が壁面の軸方向の強度を高めることができ、固着具のねじ込みによる軸方向の圧着力を受けても、壁面の変形発生を防ぐことが可能となり、圧着に伴う壁面の意匠性を確保することができる。
【図面の簡単な説明】
【００２０】
【図１】この発明の座金を示す斜視図
【図２】この発明の座金を示す平面図
【図３】図２の矢印ａ−ａ´部分での拡大断面図
【図４】この発明の座金を示す使用状態の縦断面図
【発明を実施するための形態】
【００２１】
以下、この発明の実施の形態を添付図面に基づいて説明する。
【００２２】
図４のように、この発明の座金１は、ねじ等の固着具２を用いた各種部材３の締結時にパッキン４と組み合わせて使用し、パッキン４を圧縮することにより、固着具２の頭部２ａによる定着部分の水漏れ発生を防ぐためのものであり、図１乃至図３に示すように、下部が開放した内部中空の円形ドーム形状となる壁面（座金本体）５と、この壁面５の下部外周に周設した環状のフランジ部６からなり、前記壁面５の頂部に固着具２の軸部２ｂを挿通する円形の貫通孔７が設けられ、前記壁面５の外面で複数箇所の位置に、壁面５の内面に向けて突出する凹部８が設けられている。
【００２３】
上記座金１は、例えば、金属板を円形に打ち抜くと共に、この円形金属板から周囲にフランジ部６を残して壁面５とこれに設けた凹部８をプレス成形で打ち出すことにより形成され、図示の場合、前記凹部８は、壁面５の軸心を挟む二カ所又は三カ所の位置に等間隔の配置で設けられ、壁面５の周方向に沿って長い長さを有し、且つ、この凹部８の頂点側に位置する始点８ａと外周側に位置する終点８ｂで構成される長さ方向の角度が壁面５の軸心を中心として１８０°以内で形成された平面視渦巻き形状になっている。
【００２４】
上記凹部８の渦巻き形状は、固着具２のねじ込み方向に対して、終点８ｂが前方に位置して始点８ａが後方に位置し、前記固着具２のねじ込み方向に沿って終点８ｂから始端８ａに向けて弧を描きながら上り傾斜になっている。
【００２５】
この凹部８は、その幅が、壁面の始点８ａから終点８ｂに向かうにつれて漸次広くなっていると共に、凹部８における幅方向に沿った断面形状は、図３に示すように、略直角三角形の部分を備えている。
【００２６】
このように、凹部８に設けた略直角三角形の部分は、座金１の軸心に平行する垂直壁８ｃと、この垂直壁８ｃの下端から壁面２の外方に向く水平壁８ｄからなり、前記垂直壁８ｃが補強リブの役目をし、上部からの押圧荷重に対する壁面５の強度を向上させるようになっている。
【００２７】
ここで、上記座金１を使用するねじ等の固着具２は、図４の場合、雄ねじを有する軸部２ｂの一端に頭部２ａを設け、頭部２ａの下部外周に貫通孔７よりも大径となる鍔２ｄを周設し、前記頭部２ａ及び鍔２ｄの座金１に対して重なる座面２ｅは、座金１の壁面５における曲率と略同じ曲率の弧状凹入面に形成され、ねじ込みによって打ち込んだ固着具２の軸線と座金１の軸心とが一致しないような場合でも、座面２ｅを壁面５の外面に密着させることができるようにしたものを示している。
【００２８】
なお、図４で示した上記固着具２における軸部２ｂの他端は、ドリル部を設けたり尖り先の構造を採用でき、また、これらとは別に、固着具２は、軸部がストレートの無ねじで尖り先となるような打ち込み式のものであってもよい。
【００２９】
この発明の座金１は、上記のような構成であり、固着具２の軸部２ｂに、座金１とこの座金１の鍔６よりも少し小径の円形で所定の厚みと中央に孔を有する止水用のパッキン４を取り付け、固着具２で各種部材３を締結した際に前記座金１によってパッキン４を圧縮し、固着具２の頭部２ａによる定着部分の隙間から各種部材３の内側に雨水等の水分が浸入するのを防ぐことになる。
【００３０】
各種部材３に対して固着具２をねじ込みや打ち込んで複数の前記各種部材３締結すると、固着具２の頭部２ａが座金１の壁面５上に当接して押し込み、この座金１と各種部材３の間でパッキン４を上部から圧縮し、パッキン４を上下及び径方向に変形させる。
【００３１】
上記座金１によるパッキン４の圧縮時において、圧縮を受けたパッキン４は座金１の壁面５内に閉じ込められることになるが、壁面５に設けた凹部８の壁面５内に突出する部分がパッキン４に食い込むことにより、パッキン４の圧縮による変形量を増大させ、これによって、固着具２の軸部２ｂに対するパッキン４の圧密強度を向上させ、同時にパッキン４の押し広げられた部分が、座金１と固着具２の間に生じている隙間を埋めることで、固着具２の頭部２ａによる定着部分の止水性を向上させることになる。
【００３２】
また、座金１の壁面５に設けた凹部８は、壁面５の周方向に沿って長い渦巻き形状になっているので、パッキン４の押し広げによる逃げ部分を凹部８で壁面５の頂部に向けて誘導することになり、これにより、パッキン４の壁面５の頂部へ向けての移動量を多くし、固着具２の軸部２ｂと座金１の貫通孔７との隙間及び、座金１と固着具２の頭部２ａの間に生じた隙間にパッキン４を確実に侵入させることができ、前記した隙間をパッキン４で埋めることで止水性を向上させることができる。
【００３３】
また、上記凹部８の幅を壁面の頂部側に位置する始点８ａから壁面５の外周側に位置する終点８ｂに向かうにつれて広くしているので、終点８ｂの幅の広い部分でパッキン４を多く圧縮した分を壁面５の頂部側へ有効に逃がすことができ、しかも、固着具２のねじ込み方向に座金１が供回りした場合に、終点８ｂの幅の広い部分が回転方向の先端側に位置することで圧縮によるパッキン４の変形量を多く確保することができ、これにより、上記した各隙間に対してパッキン４を確実に侵入させ、止水性を一段と向上させることができる。
【００３４】
更に、上記凹部８の幅方向に沿った断面形状を、略直角三角形の部分を備えているようにすることで、直角三角形の垂直壁８ｃ部分が壁面５の軸方向の強度を高めることができ、座金１が固着具２のねじ込みによる上下軸方向の圧着力を受けても、壁面５の座屈による変形発生を防ぐことが可能となり、座金１は圧着に伴う壁面５の意匠性を確保できる。
【００３５】
また、固着具２による各種部材３の締結時において、座金１の軸心と固着具２の軸部２ｂが同一線状にならない場合が一般的であるが、固着具２の頭部２ａの座面２ｅを座金１の壁面５と略同じ曲率とすることにより、壁面５に対して座面２ｅを密着させることができ、その場合、壁面５に設けた貫通孔７と座面２ｅの間に隙間が生じることもあるが、上記凹部８によりパッキン４の圧縮による変形量を多くして壁面５の頂部側に逃がすことにより、このような隙間も確実に埋めることができる。
【００３６】
上記固着具２による各種部材３の締結時において、座金１と固着具２の頭部２ａの間に隙間が生じた場合、上記凹部８によりパッキン４の圧縮変形量を多くして壁面５の頂部側に逃がすことにより、この隙間を埋めるパッキン４が隙間から外部に膨出することにより、パッキン４の完全充填を目視で確認可能となる。
【符号の説明】
【００３７】
１      座金
２      固着具
３      各種部材
４      パッキン
５      壁面
６      鍔
７      貫通孔
８      凹部
８ａ    始点
８ｂ    終点
８ｃ    垂直壁
８ｄ    水平壁
【図１】
2014101977.tif 000003
【図２】
2014101977.tif 000004
【図３】
2014101977.tif 000005
【図４】
2014101977.tif 000006